(57)【要約】【課題】  ショーケースを、常時の展示商品照明と非常時の顧客避難誘導照明の複合照明機能を有するように可搬照明蓄電装置を内蔵したものとする。【解決手段】  ショーケース１の収納スペース１１１に蓄電装置２を収納し、閉店後に充電端子２４をＡＣ１００Ｖに接続して充電して、営業時間中はコードレスのショーケースとして蓄電装置２の出力端子２７に照明具１６を接続して商品照明を行う。蓄電装置２はバー状一対の面照明ライト３をゴムマグネット３１で着脱自在に配置し、二次電池２３をリチウムイオン電池として総重量を４ｋｇ程度に規制してあるから、非常時に店員がショーケース１から外して一対の面照明ライト３によって顧客を避難誘導するように用いる。百貨店のような大規模小売店舗に適当である。【選択図】  図１
2013005923.tif 000002
【特許請求の範囲】
【請求項１】
二次電池を可搬のボックス内に収納し、該二次電池にＡＣ１００Ｖ電源又は該電源から充電を行うようにボックスに配置した充電端子及び出力端子と、点灯制御回路によって停電時に点灯するようにコード接続してボックスに着脱自在に配置した単一又は一対のバー状に形成したＬＥＤモジュールを一次光源とする面照明ライトを備えることによって常時の据置使用と任意の可搬使用を選択自在とした非常時対応可能の可搬照明蓄電装置を形成し、該可搬照明蓄電装置を、展示スペースに照明具を備えたショーケースの所定の収容スペースに内蔵配置し、該照明具を上記出力端子に接続して上記展示スペースにおける展示商品の照明を自在とすることによって、常時の展示商品照明と非常時の面照明ライトによる顧客避難誘導照明の複合照明機能を付与してなることを特徴とする可搬照明蓄電装置内蔵の大規模小売店舗用照明付きショーケース。
【請求項２】
上記ボックスに、該面照明ライトの点灯と消灯を行うメインスイッチ又は該メインスイッチと点灯時の面照明ライトの発光輝度調整用の調光ツマミを配置し且つ上記出力端子を複数としてなることを特徴とする請求項１に記載の可搬照明蓄電装置内蔵の大規模小売店舗用照明付きショーケース。
【請求項３】
上記二次電池を、リン酸鉄リチウムイオン電池としてなることを特徴とする請求項１又は２に記載の可搬照明蓄電装置内蔵の大規模小売店舗用照明付きショーケース。
【請求項４】
上記面照明ライトを一対備えるとともにその上記ボックスに接続した各コード長さを０．５ｍ以上としてなることを特徴とする請求項１、２又は３に記載の可搬照明蓄電装置内蔵の大規模小売店舗用照明付きショーケース。
【請求項５】
上記ボックスに対する面照明ランプの着脱自在の配置を、ボックスと面照明ランプ間に配置したマグネット又はフックとフック受けを用いることによってワンタッチ着脱を可能としてなることを特徴とする請求項１、２、３又は４に記載の可搬照明蓄電装置内蔵の大規模小売店舗用照明付きショーケース。
【発明の詳細な説明】
【技術分野】
【０００１】
本発明は、百貨店等の大規模小売店舗において好適に使用し得る可搬照明蓄電装置内蔵の大規模小売店舗用照明付きショーケースに関する。
【背景技術】
【０００２】
大規模小売店舗においては上下に複数の棚を配置したオープンケース型のショーケース、展示用の基台を除く５面を透明ガラスで囲繞したクローズタイプ型のショーケースの如くに各種のショーケースが使用されるところ、これに照明具を付したものとして、下記特許文献１は、展示スペースにＬＥＤ照明具を備えたショーケースとして、その所定の収容スペース、例えば下面に形成したスペースに、二次電池として鉛蓄電池を収容したキャスター付き引出状の蓄電池ボックスを配置し、該鉛蓄電池に該照明具を接続してその展示スペースにおける展示商品の照明を自在としたものとされ、例えば、ＡＣ１００Ｖのコンセントのない百貨店催事場での商品展示に有効に使用されるものとされている。
【先行技術文献】
【特許文献】
【０００３】
【特許文献１】特開２０１１−６７３９４号公報
【発明の概要】
【発明が解決しようとする課題】
【０００４】
この場合、二次電池を用いることによって上記コンセントがなく、また、遠方にあることによって電源コードを設置し得ない催事場等においても、ショーケースの照明を行うことによって顧客の購買意欲を増進することが可能であるが、重量が嵩む鉛蓄電池を二次電池とするから、充電位置とショーケース間での搬送が必要であり、このためキャスター付きの蓄電池ボックスとする構成のものとされるが、催事場以外の百貨店売場に定位置設置のショーケースに使用して充電の都度その移動を行うようにすることは著しく煩雑である。また、二次電池はショーケースの照明を行う単機能のものとされるが、二次電池の容量によっては他の機能を付与することによって利便性を向上するように用いることが望まれる。
【０００５】
本発明はかかる事情に鑑みてなされたもので、その解決課題とするところは、二次電池によりショーケースの照明を常時行うとともに該照明機能とともに可及的に軽量として可搬性を備えることによって二次電池による顧客避難誘導の照明を行うようにして常時の展示商品照明と非常時の顧客避難誘導照明の複合照明機能を有するようにした可搬照明蓄電装置内蔵の大規模小売店舗用照明付きショーケースを提供するにある。
【課題を解決するための手段】
【０００６】
上記課題に沿って本発明は、二次電池を収納したボックスに充電端子及び出力端子を配置するとともに停電時に自動点灯するＬＥＤモジュールを一次光源とする面照明ライトを該二次電池によって継続点灯するようにした可搬の照明蓄電装置を形成し、該可搬の照明蓄電装置をショーケースに収容して、上記出力端子への接続でショーケースの照明具を常時照明可能とするとともに非常時にショーケースから照明蓄電装置を外してその面照明ライトによって顧客の避難誘導をなし得るようにして常時の展示商品照明と非常時の面照明ライトによる顧客避難誘導照明の複合照明機能を有するものとしたものであって、即ち、請求項１に記載の発明を、二次電池を可搬のボックス内に収納し、該二次電池にＡＣ１００Ｖ電源又は該電源から充電を行うようにボックスに配置した充電端子及び出力端子と、点灯制御回路によって停電時に点灯するようにコード接続してボックスに着脱自在に配置した単一又は一対のバー状に形成したＬＥＤモジュールを一次光源とする面照明ライトを備えることによって常時の据置使用と任意の可搬使用を選択自在とした非常時対応可能の可搬照明蓄電装置を形成し、該可搬照明蓄電装置を、展示スペースに照明具を備えたショーケースの所定の収容スペースに内蔵配置し、該照明具を上記出力端子に接続して上記展示スペースにおける展示商品の照明を自在とすることによって、常時の展示商品照明と非常時の面照明ライトによる顧客避難誘導照明の複合照明機能を付与してなることを特徴とする可搬照明蓄電装置内蔵の大規模小売店舗用照明付きショーケースとしたものである。
【０００７】
請求項２に記載の発明は、上記に加えて、面照明ライトの点灯、消灯、調光をなし得るようにするとともに出力端子を複数として利便性を向上したものとするように、これを、上記ボックスに、該面照明ライトの点灯と消灯を行うメインスイッチ又は該メインスイッチと点灯時の面照明ライトの発光輝度調整用の調光ツマミを配置し且つ上記出力端子を複数としてなることを特徴とする請求項１に記載の可搬照明蓄電装置内蔵の大規模小売店舗用照明付きショーケースとしたものである。
【０００８】
請求項３に記載の発明は、同じく上記に加えて、上記二次電池を有効な充電容量を備えるとともに、例えばリチウムイオン電池の中でも蓄電能力に優れ、安全性、長寿命性を備えるとともに小型軽量化に適したリン酸鉄リチウムイオン電池を用いることによって可搬照明蓄電装置の可搬性（搬送性といってもよい）を向上し、顧客の避難誘導の誘導者負担を軽減し得るように、これを、上記二次電池を、リン酸鉄リチウムイオン電池としてなることを特徴とする請求項１又は２に記載の可搬照明蓄電装置内蔵の大規模小売店舗用照明付きショーケースとしたものである。
【０００９】
請求項４に記載の発明は、同じく上記に加えて、上記面照明ライトを一対備えるとともにそのコードを、可搬照明蓄電装置の可搬時（搬送時といってもよい）に人の手持ちに適した長さを有することによって、上記顧客の避難誘導時に一方を顧客の足下を照明し、他方を誘導者の足下を照明する如くに、使い勝手を向上したものとするように、これを、上記面照明ライトを一対備えるとともにその上記ボックスに接続した各コード長さを０．５ｍ以上としてなることを特徴とする請求項１、２又は３に記載の可搬照明蓄電装置内蔵の大規模小売店舗用照明付きショーケースとしたものである。
【００１０】
請求項５に記載の発明は、同じく上記に加えて、上記可搬照明蓄電装置の可搬使用に際して面照明ランプの着脱をワンタッチでなし得るようにして、使い勝手を向上したものとするように、これを、上記ボックスに対する面照明ランプの着脱自在の配置を、ボックスと面照明ランプ間に配置したマグネット又はフックとフック受けを用いることによってワンタッチ着脱を可能としてなることを特徴とする請求項１、２、３又は４に記載の可搬照明蓄電装置内蔵の大規模小売店舗用照明付きショーケースとしたものである。
【００１１】
本発明はこれらをそれぞれ発明の要旨として上記課題解決のための手段としたものである。
【発明の効果】
【００１２】
本発明は以上のとおりに構成したから、請求項１に記載の発明は、二次電池を収納したボックスに充電端子及び出力端子を配置するとともに停電時に自動点灯するＬＥＤモジュールを一次光源とする面照明ライトを該二次電池によって継続点灯するようにした可搬の照明蓄電装置を形成し、該可搬の照明蓄電装置をショーケースに収容して、上記出力端子への接続でショーケースの照明具を常時照明可能とするとともに非常時にショーケースから照明蓄電装置を外してその面照明ライトによって顧客の避難誘導をなし得るようにして常時の展示商品照明と非常時の面照明ライトによる顧客避難誘導照明の複合照明機能を有するようにした可搬照明蓄電装置内蔵の大規模小売店舗用照明付きショーケースを提供することができる。
【００１３】
請求項２に記載の発明は、上記に加えて、面照明ライトの点灯、消灯、調光をなし得るようにするとともに出力端子を複数として利便性を向上したものとすることができる。
【００１４】
請求項３に記載の発明は、同じく上記に加えて、上記二次電池を有効な充電容量を備えるとともに、例えばリチウムイオン電池の中でも蓄電能力に優れ、安全性、長寿命性を備えるとともに小型軽量化に適したリン酸鉄リチウムイオン電池を用いることによって可搬照明蓄電装置の可搬性を向上し、顧客の避難誘導の誘導者負担を軽減し得るものとすることができる。
【００１５】
請求項４に記載の発明は、同じく上記に加えて、上記面照明ライトを一対備えるとともにそのコードを、可搬照明蓄電装置の可搬時に人の手持ちに適した長さを有することによって、上記顧客の避難誘導時に一方を顧客の足下を照明し、他方を誘導者の足下を照明する如くに、使い勝手を向上したものとすることができる。
【００１６】
請求項５に記載の発明は、同じく上記に加えて、上記可搬照明蓄電装置の可搬使用に際して面照明ランプの着脱をワンタッチでなし得るようにして、使い勝手を向上したものとすることができる。
【図面の簡単な説明】
【００１７】
【図１】ショーケースの斜視図である。
【図２】照明具の縦断面斜視図である。
【図３】照明具のショーケースへの設置状態を示す部分斜視図である。
【図４】他の例のショーケースの斜視図である。
【図５】照明具の配置状態を示す斜視図である。
【図６】蓄電装置の正面図である。
【図７】蓄電装置の一方の側面図である。
【図８】蓄電装置の他方の側面図である。
【図９】蓄電装置の平面図である。
【図１０】面照明ライトの側面図である。
【図１１】蓄電装置使用状態の例を示す斜視図である。
【図１２】他の例の蓄電装置の正面図である。
【図１３】蓄電装置の側面図である。
【図１４】蓄電装置の平面図である。
【図１５】蓄電装置の並列接続使用の状態を示す斜視図である。
【発明を実施するための形態】
【００１８】
以下図面の例に従って本発明を更に具体的に説明すれば、図１乃至図３において、１は可搬照明蓄電装置２内蔵の大規模小売店舗用照明付きショーケースであり、その上記可搬照明蓄電装置２は、二次電池２３を可搬のボックス２１内に収納し、該二次電池２３にＡＣ１００Ｖ電源又は該電源から充電を行うようにボックス２１に配置した充電端子２４及び出力端子２７と、点灯制御回路によって停電時に点灯するようにコード３５接続してボックス２１に着脱自在に配置した単一又は一対のバー状に形成したＬＥＤモジュール３３を一次光源とする面照明ライト３を備えることによって常時の据置使用と任意の可搬使用を選択自在とした非常時対応可能のものとしてあり、該蓄電装置２は、これを、展示スペースに照明具１６を備えたショーケース１の所定の収容スペース１１１に内蔵配置し、該照明具１６を上記出力端子２７に接続して上記展示スペースにおける展示商品の照明を自在とすることによって、常時の展示商品照明と非常時の面照明ライトによる顧客避難誘導照明の複合照明機能を付与したものとしてある。
【００１９】
本例にあってショーケース１は、大規模小売店舗の百貨店において、例えば宝石や貴金属を展示販売するに用いるように、例えば腰部をなす縦長の基台１１と、該基台１１上に配置した展示スペースをなす商品展示ケース１２を備えて形成し、基台１１下面にキャスター１７を配置することによって床面を移動自在とした、例えば、高さを１ｍ、一辺を５０ｃｍ程度とした平面方形をなすものとしてある。
【００２０】
このとき、基台１１は、そのいずれかの面を、例えば開き扉や引出しを配置することによってその開閉を可能とした収納スペース１１１をなす一方、その余の３面を閉塞した化粧パネル被覆にして、例えば、高さを６０ｃｍ程度とした縦長ボックス状のものとしてある。
【００２１】
商品展示ケース１２は、該基台１１上に載置固定した金属、例えばステンレス、アルミ等の細フレーム材を縦横に枠組みして形成したケース構造材をなす金属フレーム１２１と、底面を除く金属フレーム１２１の５面に透明強化ガラス１２２を囲繞状に配置して、歩行者を含めて多方面から内部を透視し得るようにした、高さを３０ｃｍ程度とし、上記一辺を５０ｃｍ程度として、やや扁平な印象を与える透明ボックス状のものとしてある。
【００２２】
該商品展示ケース１２には照明具１６を配置してあり、本例にあって該照明具１６は、例えばＬＥＤラインライトとして、長さ２５ｃｍ弱のベースに、例えば光束３００ｌｍ／３ＷのＬＥＤ１６１を配置して形成したＬＥＤモジュールを用い、該ＬＥＤモジュールを複数、本例にあっては２本直列に配置することによって、商品展示ケース１２内の展示商品を長手方向２ヶ所のＬＥＤ１６１によってスポット的に照明し得るようにしてあり、このとき本例の照明具１６は、ＬＥＤモジュールのＬＥＤ１６１位置を開口した、例えば断面台形にしてヒートシンク機能を有するアルミ等金属製のライトケース１６２に収容し、その底壁に配置したフラットケーブルで接続するとともにライトケース１６２の開口部位に光拡散シートを配置してＬＥＤ１６１発光を拡散してその眩しさを減少するようにしてある。
【００２３】
該照明具１６は、商品展示ケース１２内の、本例にあって金属フレーム１２１の任意の上端辺に沿って設置してあり、該設置は、例えば上記上端位置に交差して対面する透明強化ガラス１２２の上端隅部を角落し状に切欠き、該切欠きの傾斜部位に、上記ライトケース１６２長手方向両端にガラス側に向けて突出配置したフック１６３を引掛け係止して、該ライトケース１６２上下を金属フレーム１２１と切欠部位で支持するようにして、これを行ってある。
【００２４】
可搬照明蓄電装置２は、該ショーケース１の基台１１の収納スペース１１１、即ち、必要に応じてこれに形成した棚、例えば数段のうちの最下段の棚に載置収容することによって、該基台１１に内蔵し、該蓄電装置２を電源として照明具１６を点灯して常時の展示商品照明を行うようにしてあり、また、基台１１を開閉することによって、該蓄電装置２を収納スペース１１１から取り出して非常時の顧客避難誘導照明をなし得るようにしてある。
【００２５】
図４及び図５は、ショーケース１の他の例を示すもので、本例にあって該ショーケース１は、側壁１３と天壁１４によって前後を貫通するように開口した門型にして、下部に、例えば開き扉や引出しを配置することによってその開閉を可能とした収納スペース１１１を配置する一方、上記門型の構造躯体の上下に複数段横長の展示スペースをなす商品陳列棚１５を配置した、鋼製、木製等適宜材料を用いて構成したオープンケースとしてある。
【００２６】
該ショーケース１にあって照明具１６は、上記商品陳列棚１５の棚板上面を照明するように、構造躯体の天壁１４及び各棚板の下面に棚板長手方向に沿うように配置してあり、本例にあって照明具１６は、ＬＥＤモジュールを一次光源として、図示省略の導光板の入射端面に臨設して、該ＬＥＤモジュールの入射光を導光板によって導光し、該導光板の照明面を被覆するように配置した表面の光拡散板を介して面状の照明光を供給して、各商品陳列棚に載置した展示商品を照明するものとしてある。このとき該照明具は、例えば、その長さを４５ｃｍ程度、幅を１．５ｃｍ程度とした長尺バー状のものとして、上記ＬＥＤモジュール、導光板、光拡散板等を長尺にしてヒートシンク機能を有する金属製のライトケース１６２に収納するとともにライトケース１６２の幅方向３面に上記光拡散板を露出するようにして、長手方向に下面及び側面に向けた面照明を行うようにしてある（該照明具は、後述する照明蓄電装置における面照明ライトと寸法を異にするもその構造を共通としてある）。
【００２７】
可搬照明蓄電装置２は、同じく、該ショーケース１の下部の収納スペース１１１乃至これに配置した棚に載置収容することによって、該下部に内蔵し、同様に該蓄電装置２を電源として常時の展示商品照明を行うようにし、また、下部を開閉して該蓄電装置２を収納スペースから取り出し、同じく非常時の顧客避難誘導照明をなし得るようにしてある。
【００２８】
ショーケース１に内蔵した該可搬照明蓄電装置２は、上記二次電池２３と、充電端子２４及び出力端子２７及び面照明ライト３を備えたものとし、充電端子２４によってＡＣ１００Ｖ電源からの充電を行うとともに出力端子２７に上記照明具１６を接続してその上記常時の展示商品照明を行うようにしてあり、このとき上記二次電池２３は、これを、例えばリチウムイオン電池、中でも蓄電能力に優れ、安全性、長寿命性を備えるとともに小型軽量化に適したリン酸鉄リチウムイオン電池を用い、これによって蓄電装置２の総重量を７ｋｇ以下、本例にあっては６ｋｇ程度乃至それ以下に規制し、その搬送使用に際して手持ちを可能とし、避難誘導者の負担を軽減して、非常時に近くにいる店員が適宜に上記顧客避難誘導照明をなし得るようにしてある。
【００２９】
可搬照明蓄電装置２は、矩形又は方形のボックス２１と、該ボックス２１に収納した上記二次電池２３と、上記充電端子２４及び出力端子２７と、本例にあって一対とした上記面照明ライト３を備えたものとしてあり、このとき本例の蓄電装置２は、上記ボックス２１の上面に手持ち用のハンドル（把手といってもよい）又は肩掛けベルト、本例にあってはハンドル２９を備えたものとしてある。該ハンドル２９は、蓄電装置２の重量を支持する強度を備える材質、即ち金属、硬質合成樹脂、織布帯材等を用いて、同じく重量を支持する固定強度を備えてボックス２１にその長手方向両端を固定してあり、本例のハンドル２９は、これを下向きコ字状の硬質合成樹脂製のものとしてある。
【００３０】
該蓄電装置２は、例えば、ボックス２１の高さを３０乃至４０ｃｍ、本例にあっては３５ｃｍ程度、幅を２０乃至３０ｃｍ、本例にあっては２５ｃｍ程度、奥行を１０ｃｍ以下、本例にあっては５乃至６ｃｍ程度として、例えばアタッシュケースを縦長とした如くに、正背面において矩形をなすものとするとともに上記ショーケース１の収納スペース１１１に縦置き、横置き等、適宜な形態で収納してその内蔵を行うものとしてある。
【００３１】
該ボックス２１は、塗装鋼板、クロム鍍金鋼板、アルミ板等の金属板又は硬質合成樹脂板を加工形成したもの、本例にあっては上記クロム鍍金鋼板によるものとし、このとき該ボックス２１は、例えば表裏方向に開閉自在に形成することによって、蓄電装置２のメンテナンス用にその開閉を可能としてある。
【００３２】
該ボックス２１には、例えば上面に面照明ライト３の点灯、消灯の操作用のメインスイッチ２５、点灯時の発光輝度、即ち蓄電装置としての照度を可変操作する、面照明ライト３を一対とした本例にあっては、各面照明ライト３毎の一対の調光ツマミ２６、蓄電装置２の充電状態を表示する、例えば３つのＬＥＤランプによる充電レベルインジケーター２８を配置し、一方の側面には、上記充電端子２４としてＡＣ１００Ｖの充電用コードレセプター２４１を、他方の側面には、上記出力端子２７としてＤＣ１２Ｖのシガーソケット２７１をそれぞれ配置してある。
【００３３】
本例にあって面照明ライト３は、上記ショーケース１の照明具１６と同じく、ＬＥＤモジュール３３を一次光源として、該ＬＥＤモジュール３３を図示省略の導光板の入射端面に臨設し、その入射光を該導光板によって導光して、正面配置の光拡散板３４を介して面状の照明光を供給するものとしてあり、このとき導光板は光透過性に優れた透明樹脂板、例えば厚肉のアクリル樹脂板の裏面にスクリーン印刷乃至導光板の一体成形によって配置して入射端面から離隔方向に配置密度を増変化したドット、ライン等の導光パタンを備えるとともに背面に導光性を向上する高白色度にして高反射性を呈する、例えば発泡白色樹脂、例えばポリエステル樹脂の反射板を、導光板の表面、本例にあっては後述のように正面及び両側面に、粗面化や添加剤含有によって光拡散性を付与した光拡散板３４を配置し、ライトケース３２に収納して縦長バー状に形成してある。
【００３４】
本例の該面照明ライト３は、上記ライトケース３２を、長さ、幅を、上記蓄電装置２のボックス１側面に合せて、これより幾分小さめのものとし、また、奥行を可及的に薄く形成することによって、上記ボックス２１側面に着脱自在に配置して、上記縦長バー状の形状と相俟って良好な納まりと使い勝手を可及的に確保したものとしてあり、本例にあって長さを３０乃至３５ｃｍ、本例にあっては３０ｃｍ、幅を５乃至６ｃｍ弱、本例にあっては４．５ｃｍ程度とし、また奥行を２ｃｍ以下、本例にあっては１．８ｃｍ程度としてあり、このとき該ライトケース３２はヒートシンク機能を有する金属製、例えばアルミ製のものとしてある。
【００３５】
ライトケース３２は、上記厚肉の導光板の正面と、両側面の肉厚方向正面側の部分とこれを覆う光拡散板３４がＣ字状に露出するように長手方向中間を切欠き加工して形成した長寸の照明部位を備えてあり、これによって該照明部位において厚肉の導光板は、その両側面部分とともに３面の照明を行うようにして、平面のみの照明に比して、暗部における蓄電装置２乃至面照明ライト３の位置を可及的容易に視認し得るようにしてある。
【００３６】
本例の面照明ライト３は、その長手方向端部、本例にあっては下端部に、例えば光束５５０ｌｍ／６ＷのＬＥＤモジュール３３を配置し、導光板下端の入射端面から入射光を供給して、その導光による面照明を行うようにしてあり、このとき、ボックス２１内で二次電池２３に接続し且つライトケース３２内で上記ＬＥＤモジュール３３に接続したコード（リード線といってもよい）、例えばカールコード３５を、該ボックス２１の各側面下部とライトケース３２の各下面間に配置し、二次電池２３による面照明ライト３の照明、即ち、その導光板の面発光を行うようにしてある。上記５５０ｌｍ／６ＷのＬＥＤモジュール３３を用いた本例の各面照明ライト３は、その１ｍ離隔位置の最大照度を９０ｌｕｘ、平均照度２５ｌｕｘ以上、本例にあっては最大照度９８ｌｕｘ、平均照度２８ｌｕｘとし、上記二次電池２３を用いることによる単一の面照明ライト３の連続点灯時間を１５時間以上、本例にあっては４０時間程度としてある。因みに、白熱電球６０Ｗの１ｍ離隔位置の最大照度は５６ｌｕｘ、平均輝度は２２ｌｕｘである。
【００３７】
可搬照明蓄電装置２は、面照明ライト３の点灯制御回路を備えてあり、これによって、面照明ライト３が検知した設置場所の照度に応じて、該面照明ライト３の点灯、消灯をコントロールして、夜間に自動点灯し、昼間に自動消灯するようにしてあり、夜間の自動点灯は、例えば一対のうち一方の面照明ライト３を、調光ツマミ２６設定の、例えば２Ｗ程度の照度で行うようにして、必要に応じてその常夜灯機能を発揮するようにしてある。
【００３８】
このとき、上記ボックス２１に対する面照明ランプ３の着脱自在の配置は、これを、ボックス２１と面照明ランプ３間に配置したマグネット又はフックとフック受け、本例にあってはマグネットを用いて着脱をワンタッチで可能としてあり、本例のマグネットは、例えばゴムマグネット３１として、上記ライトケース３２の裏面、即ち、ライトケース３２のボックス２１との対向面に所定の長さ及び幅のものを接着することによってその配置を行ってある。
【００３９】
図１２乃至図１４は、可搬照明蓄電装置２の他の例を示したもので、本例にあって該蓄電装置２は、上記縦長の正背面において矩形をなす形状を、横長として同じく正背面において矩形をなす横長のアタッシュケースの如くに形成した例である。
【００４０】
本例の蓄電装置２は、そのボックス２１の高さを１５乃至２５ｃｍ、本例にあっては２０ｃｍ程度、幅を３０乃至４０ｃｍ、本例にあっては３０ｃｍ程度、奥行を１５ｃｍ以下、本例にあっては１１ｃｍ程度とし、上記アタッシュケースを横長として奥行を幾分厚くした形状をなすようにしてある。
【００４１】
このとき、該蓄電装置２は、面照明ライト３を、上記と同様に一対備えるとともにその配置を、ボックス２１の正背面上部に形成した収容段部２２に収容し、該面照明ライト３の収容状態でボックス２１正背面をフラット面とするようにしてある。
【００４２】
即ち、ボックス２１は正背面の鋼板にプレス加工によって上記収容段部２２を、横長の断面Ｌ字状に形成し、両端を側面に開放したボックス２１幅と同長のものとし、奥行を、上記面照明ライト３の寸法に合せて、例えば２ｃｍ程度のものとしてある。
【００４３】
本例にあって面照明ライト３は、その長さを該ボックス２１幅と同長とした一対として、該正背面の収容段部２２にそれぞれ収容してあり、これによって該面照明ライト３を収容した状態で、蓄電装置２は正背面、側面をそれぞれ矩形を呈するものとしてある。
【００４４】
このとき、本例の蓄電装置２は、その片側の側面、本例にあっては右側面に、上記と同様にＡＣ１００Ｖの充電用コードレセプター２４１、ＤＣ１２Ｖのシガーソケット２７１を配置するとともに更に出力端子２７としてＤＣ５ＶのＵＳＢ端子２７２を配置し、更に、太陽光発電による充電を可能とするように、充電端子２４として太陽電池用の充電用コードレセプター３２を配置したものとしてあり、更に、本例にあっては照明装置Ａの二次電池２の並列接続を行うことによって照明ライト８の照明時間を延長し得るように並列接続端子２７３を配置したものとしてある。また、該ボックス２１の片側の側面には、その上部と上記一対とした面照明ライト３のライトケース３２の長手方向一端間に上記と同様にカールコード３５を配置してある。
【００４５】
図１５は、上記図４及び図５のショーケース１に、上記並列接続端子２７３を用いて一対の蓄電装置２を並列接続することによって、該一対の蓄電装置２を収納した例である。
【００４６】
その余は、上記例と変わらないので、同一符号を付して重複する説明を省略する。
【００４７】
以上のように形成した蓄電装置２は、それぞれその総重量を７ｋｇ以下、本例にあってはいずれも、例えば６ｋｇ程度乃至それ以下に規制して、その可搬性を確保したものとしてあるから、上記アタッシュケース状とした形状と相俟って、常時の展示商品照明と非常時の面照明ライト３による顧客避難誘導照明の複合照明機能を有するものとすることができる。従って、上記百貨店のように大規模小売店舗における照明付きショーケース１に収容して内蔵することによって、例えば、閉店時間後に充電端子２４にＡＣ１００Ｖのコードを接続して二次電池の充電を行って、上記点灯制御回路により面照明ライト３の点灯を行って、該面照明ライト３を常夜灯の如くに使用することもでき、また、その消灯を行った状態で充電専用の状態でその充電を行うことができる。
【００４８】
一方、開店時間に先立って、該コードの接続を解除することによってショーケース１は、店舗内のコード露出による煩雑感を解消し、これをコードレスのショーケースとして使用するとともに出力端子２７からの電力供給によって該ショーケース１の照明具１６を点灯して、該照明具１６による有効且つ確実な照明を行うことができる。
【００４９】
また、予期しない災害等によって停電が生じた際には、ショーケース１から可搬照明蓄電装置２を取り出して、その面照明ライト３の照明によって顧客の避難誘導を行うことができ、このとき、面照明ライト３を一対としたから、一方を誘導者の足下を、他方を顧客の足下を照らすように用いる等、顧客誘導を有効且つ適切に行うことができ、また、二次電池２３を上記リン酸鉄リチウムイオン電池としたことによって、その軽量化を図り、総重量を規制したから、誘導者の負担を減少し、近くにいる店員による顧客誘導を可能とするとともに必要且つ充分な容量を確保し得ることによって、営業時間内のショーケース１の照明に加えて、非常時の顧客避難に電池切れ等のトラブルを生じることもない。
【００５０】
更に可搬照明蓄電装置２は、出力端子２７としてＤＣ１２Ｖのシーソケット２７１、ＤＣ５ＶのＵＳＢ端子２７２を有するから、インバーター（ＡＣ１２０Ｖ）を介して非常時のＴＶ受信や顧客への携帯電話充電等の非常時サービスを行うことが可能であり、また、上記並列接続端子２７３を配置したものは、複数の蓄電装置２を接続して、二次電池２３の容量を複数倍とすることができるから、多数のショーケース１に可搬照明蓄電装置２を内蔵することによって、例えば、顧客避難後の避難所開設に対応する等、長時間の使用が可能となる。
【００５１】
因みに、１台の照明蓄電装置２を用いた実験によれば、一対の面照明ライト３を最大照度でフル点灯したときその使用時間は２０時間（夜間２日間）、照度を５０％に調光したとき、その使用時間は４０時間（夜間４日間）であった。家電品の使用時は、１台で長時間とすることは適当ではないが、一対のうち一方の面照明ライト３をフル点灯し且つ液晶ＴＶをＯＮとしたときの使用時間は２．５時間であった。
【００５２】
本例の上記蓄電装置Ｂを備えた照明付きショーケース１は、かように常時の展示商品照明と非常時の顧客避難誘導照明の複合照明機能を有するものとして、大規模小売店舗に好適に使用することができる。
【００５３】
図示した例は以上のとおりとしたが、上記ボックスを方形とし又はその余の形状とすること、上記手持ち用のハンドルに代えて又はこれとともに肩掛けベルトを配置し又は該ベルトの取付金具をボックスに配置すること、上記面照明ライトを単一に備えたものとすること、上記充電端子に代えて又はこれとともにＡＣ１００Ｖの充電コードをボックスに設置すること、上記ボックスに対する面照明ランプの着脱自在の配置を、ボックスと面照明ランプ間に配置したフックとフック受けを用いたものとすること等を含めて、本発明の実施に当って、ショーケース、展示スペース、収納スペース、照明具、可搬照明蓄電装置、ボックス、二次電池、充電端子、面照明ライト、必要に応じて用いるメインスイッチ、調光ツマミ、マグネット又はフックとフック受け等の各具体的形状、構造、材質、用途、数値、これらの関係、これらに対する付加等は、上記発明の要旨に反しない限り様々な形態のものとすることができ、上記に示したものに限定するには及ばない。
【符号の説明】
【００５４】
１  ショーケース
１１  基台
１１１  収納スペース
１２  商品展示ケース
１２１  金属フレーム
１２２  透明強化ガラス
１３  側壁
１４  天壁
１５  商品陳列棚
１６  照明具
１６１  ＬＥＤ
１６２  ライトケース
１６３  フック
１７  キャスター
２  可搬照明蓄電装置
２１  ボックス
２２  収容段部
２３  二次電池
２４  充電端子
２４１  ＡＣ１００Ｖの充電用コードレセプター
２４２  太陽電池用充電用コードレセプター
２５  メインスイッチ
２６  調光ツマミ
２７  出力端子
２７１  シガーソケット
２７２  ＵＳＢ端子
２７３  並列接続端子
２８  充電レベルインジケーター
２９  ハンドル
３  面照明ライト
３１  ゴムマグネット
３２  ライトケース
３３  ＬＥＤモジュール
３４  光拡散板
３５  コード
【図１】
2013005923.tif 000003
【図２】
2013005923.tif 000004
【図３】
2013005923.tif 000005
【図４】
2013005923.tif 000006
【図５】
2013005923.tif 000007
【図６】
2013005923.tif 000008
【図７】
2013005923.tif 000009
【図８】
2013005923.tif 000010
【図９】
2013005923.tif 000011
【図１０】
2013005923.tif 000012
【図１１】
2013005923.tif 000013
【図１２】
2013005923.tif 000014
【図１３】
2013005923.tif 000015
【図１４】
2013005923.tif 000016
【図１５】
2013005923.tif 000017